(57)【要約】【課題】肩関節を訓練する用具において、縦横両方向の負荷の異なる回転運動を両腕で同時に行なえ、バランス能力を向上させ転倒を防止し、筋力の維持を図る訓練用具を提供する。【解決手段】グリップ１１ａ，１２ａを有する回転体６ａ，７ａを複数、左右方向に配置し、該回転体６ａ，７ａの回転軸８ａ，８ｂからグリップ１１ａ，１２ａまでの径を、隣接する回転体６ａ，７ａ相互において相違させる。前記回転軸８ａ，８ｂに、回転方向に負荷を与える負荷付与手段９を設ける。前記回転体６ａ，７ａの取付部材を立設し、該取付部材の両面側に前記回転体６ａ，７ａを配置するとともに、取付部材を介した対称位置に、同種の回転体６ｂ，７ｂを設ける。【選択図】図１
2007143761.tif 000002
【特許請求の範囲】
【請求項１】
グリップを有する回転体を複数、左右方向に配置し、該回転体の回転軸からグリップまでの径を、隣接する回転体相互において相違させたことを特徴とする肩回し関節可動域訓練用具。
【請求項２】
前記回転軸に、回転方向に負荷を与える負荷付与手段を設けたことを特徴とする請求項１記載の肩回し関節可動域訓練用具。
【請求項３】
前記回転体を設ける取付部材を立設し、該取付部材の両面側に前記回転体を配置するとともに、取付部材を介した対称位置に、同種の回転体を設けたことを特徴とする請求項１又は２記載の肩回し関節可動域訓練用具。
【請求項４】
前記回転軸からグリップまでの径が異なる２種の回転体を、左右方向に３個配置するとともに、その中央の回転体に対して両側に位置する２個の回転体を同種のものにしたことを特徴とする請求項１又は２又は３記載の肩回し関節可動域訓練用具。
【請求項５】
前記回転体の回転軌道が略垂直面に位置することを特徴とする請求項１乃至４のいずれかに記載の肩回し関節可動域訓練用具。
【請求項６】
前記回転体の回転軌道が垂直面に対して傾斜することを特徴とする請求項１乃至４のいずれかに記載の肩回し関節可動域訓練用具。
【発明の詳細な説明】
【技術分野】
【０００１】
本発明は肩回し関節可動域訓練用具に関する。
【背景技術】
【０００２】
従来、肩関節の回転運動を行う器具において、椅子に対面した支柱にカウンターバランスを付けた１本の回転アームを取り付け、回転アームの先に取り付けたグリップを把持し回転させて、肩関節の回転運動を行う器具が知られている。また、該器具に支柱と回転アームとの間に偏芯誘導板を組付けて、回転アームの回転半径が回転角度によって大きくなる偏芯機構を設けた、肩関節の筋肉をストレッチングする回旋器具が開示されている（特許文献１参照）。
【特許文献１】特開平１０−１６５５３９
【発明の開示】
【発明が解決しようとする課題】
【０００３】
前記従来の回旋運動器具においては、回転アームが１本のみであることから、使用者の片腕のみの使用となり、両腕を同時に使用することはできない。また、該回旋器具は使用者が器具に対して円を描くように回転させる機構となっており、回転運動の可動方向が使用者に対して左右方向と上下方向のみに限定されている。更に、該回転機構は回転方向において負荷が掛かっておらず、肩周辺の筋肉のストレッチのみが行えるようになっており、筋力の維持を図ることはできない。
【０００４】
そこで本発明は、前記の課題を解決する肩回し関節可動域訓練用具を提供することを目的とするものである。
【課題を解決するための手段】
【０００５】
前記の課題を解決するために、請求項１記載の発明は、グリップを有する回転体を複数、左右方向に配置し、該回転体の回転軸からグリップまでの径を、隣接する回転体相互において相違させたことを特徴とするものである。
【０００６】
請求項２記載の発明は、請求項１記載の発明において、前記回転軸に、回転方向に負荷を与える負荷付与手段を設けたことを特徴とするものである。
【０００７】
請求項３記載の発明は、請求項１又は２記載の発明において、前記回転体を取付ける取付部材を立設し、該取付部材の両面側に前記回転体を配置するとともに、取付部材を介した対称位置に、同種の回転体を設けたことを特徴とするものである。
【０００８】
請求項４記載の発明は、請求項１又は２又は３記載の発明において、前記回転軸からグリップまでの径が異なる２種の回転体を、左右方向に３個配置するとともに、その中央の回転体に対して両側に位置する２個の回転体を同種のものにしたことを特徴とするものである。
【０００９】
請求項５記載の発明は、請求項１乃至４のいずれかに記載の発明において、前記回転体の回転軌道が略垂直面に位置することを特徴とするものである。
【００１０】
請求項６記載の発明は、請求項１乃至４のいずれかに記載の発明において、前記回転体の回転軌道が垂直面に対して傾斜することを特徴とするものである。
【発明の効果】
【００１１】
請求項１記載の発明によれば、一方の手で一方の回転体のグリップをつかみ、他方の手で他方の回転体のグリップをつかみ、夫々の回転体を回転させると、両腕が異なる径の円で回転運動でき、かつ、この回転運動を同時に行うことができる。また、一方の手を右回し、他方の手を左回したり、両手を同方向に回転したりして、種々な回転が可能になる。そのため、肩関節部の可動域の改善と筋力の増強を図ることができる。また、グリップ回転半径を相違させたから、左右異なった負荷をかけた運動ができる。
【００１２】
請求項２記載の発明によれば、負荷付与手段を回転軸に装着したことにより、回転体に適度な回転負荷を与えることができる。また、回転負荷の異なる回転体を形成することができる。また、負荷付与手段を備えたことにより、回転体の回転に対する負荷が軽すぎて、回転体が廻りすぎる不都合を回避することができる。
【００１３】
請求項３記載の発明によれば、回転体を取付部材の両面側に設け、かつ、取付部材を介した対称位置に同種の回転体を設けたことから、先ず、一方の面の回転体を使用して、左右の腕に異なる負荷と径の回転運動をさせた後に、他方の面（反対側）の回転体を使用して左右の腕に前記とは逆の異なる負荷と径の回転運動をさせることにより、可動範囲の異なる回転運動を両腕に均等に行なわせることができ、両腕の均等な訓練が行える。
【００１４】
また、１個の訓練用具で２名が表側と裏側とで同時に訓練することができ、
更には、使用者が訓練用具の側面に立ち、両腕で、一方の側部における表裏の回転体を両腕で回転することにより、両肩関節、両肘関節の屈曲伸展運動を行うことができる。
【００１５】
請求項４記載の発明によれば、例えば中央にグリップまでの径が小径の回転体を配置し、その左右の両側にグリップまでの径が大径の回転体を配置した組合わせにおいて、先ず中央と左側の回転体を回転し、次で中央と右側の回転体を回転することにより、前記の表裏での運動と同様の運動ができ、左右の腕に異なる負荷と径の回転運動をさせ、可動範囲の異なる回転運動を両腕で行うことができる効果がある。
【００１６】
また、中央にグリップまでの径が大径の回転体を配置し、その左右の両側にグリップまでの径が小径の回転体を配置しても同様の効果が得られる。
【００１７】
請求項５記載の発明によれば、腕の前記の回転が垂直面内で行われ、前記と同様の効果が得られる。
【００１８】
請求項６記載の発明によれば、回転体の正面に立って前記の回転運動を行うときには、回転運動に加え、肩関節の屈曲伸展をおこないながら、肩関節の内外転、内外旋運動も行える。また、回転体の側面に立って表裏の回転体を回転する場合には、両肩関節、両肘関節の屈曲伸展運動を行うことができる。
【発明を実施するための最良の形態】
【００１９】
本発明を実施するための最良の形態を図に示す実施例に基づいて説明する。
【実施例１】
【００２０】
図１乃至図７は本発明の実施例１を示す。
図１に示すように、訓練用具１は地中もしくは地表或いは室内の床に設置された基台２に、２本の支柱３，３が立設され、該双方の支柱３，３間を連結する連結部材３ａ，３ｂが支柱３，３の上部と下部に水平に設けられている。また、前記双方の支柱３，３における互いに離反する方向の側面には組付台４，４が支柱３，３の上端から下方に向って所定の長さ備えられており、前記連結部材３ａ，３ｂと組付台４，４は、支柱３，３と連結部材３ａ，３ｂと組付台４，４に空けられた挿通穴にボルトを挿通することによって支柱３，３に固定されている。
【００２１】
また、該組付台４，４の表裏面には、基板５ａ，５ｂがボルト等で組付台４，４にそれぞれ固定されている。図において、基板５ａを表側とし、基板５ｂを裏側とする。
【００２２】
前記支柱３，３、組付台４，４、基板５ａ，５ｂ等により回転体の取付部材を構成している。
【００２３】
また、図２に示すように、基板５ａの上部両側（訓練用具１の表側）には、径の大きさが異なる２種類の一対の円盤状の回転体６ａ，７ａが左右に位置してそれぞれ回転可能に備えられている。
【００２４】
すなわち、図２及び図６に示すように、回転軸８ａ，８ｂが前記組付台４，４と基板５ａ，５ｂを水平方向に貫通して、基板５ａ，５ｂの両面に突出するように挿通し、該突出した回転軸８ａ，８ｂの両端部に負荷付与手段９を装着している。
【００２５】
次に表側の回転板６ａ，７ａについて説明する。前記負荷付与手段９の外周面に、回転体６ａ，７ａの中心に空けられた嵌合穴を嵌合して、回転体６ａ，７ａが、負荷付与手段９を介して略垂直面内で回転するように回転可能に設けられている。前記負荷付与手段９により回転体６ａ，７ａが、所定の負荷を受けて回転するようになっており、この負荷付与手段９としては、例えばオイルを使用したロータリーダンパー（オイルダンパー）等を用いることができる。
【００２６】
更に、回転体６ａ，７ａの表面側に位置する負荷付与手段９の表面は、保護カバー１０，１０により被覆されている。また、回転体６ａ，７ａの表面における周縁には、グリップ１１ａ，１２ａが回動可能に備えられており、このグリップ１１ａ，１２ａを握り回転操作をすることによって、両回転体６ａ，７ａを各回転軸８ａ，８ｂを中心として時計回りと反時計回りに回転できるようになっている。
【００２７】
また、図２に示すように、一方、例えば左側の回転体６ａは径が大きく、他方、例えば右側の回転体７ａは径が小さく形成されており、左側の回転体６ａの回転軸８ａとグリップ１１ａとの間隔（径）は長く、右側の回転体７ａの回転軸８ｂとグリップ１２ａとの間隔（径）は左側に比べて短く設定されている。そのため、グリップ１１ａを操作して回転体６ａを回転させると小さな負荷が発生し、グリップ１２ａを操作して回転体７ａを回転させると、回転体６ａに比べて大きい負荷が発生する。更に、グリップ１１ａの回転に際しては、使用者の腕の回転直径が大きくなり、グリップ１２ａの回転時に際しては使用者の腕の回転直径がグリップ１１ａに比べて小さくなる。
【００２８】
なお、図３に示すように、基板５ｂの表面、すなわち、訓練用具１における裏面にも回転体６ａ，７ａと同種の回転体６ｂ，７ｂが、前記表側の回転体６ａ，７ａと同様の構造により回転軸８ａ，８ｂに回転可能に備えられており、訓練用具１の裏から見て径が小さい回転体７ｂは左側に配置され、径が大きい回転体６ｂは右側に配置されている。すなわち、取付部材を介して、対称位置に同種の回転体が配置されている。したがって、表裏で回転体の配置は逆となり、訓練用具１の側部の一方には、表裏とも小さい径の回転体７ａ，７ｂが、他方の側部には表裏とも大きい径の回転体６ａ，６ｂが配置されている。
【００２９】
また、図４に示すように、前記表裏の回転体６ａと６ｂ及び７ａと７ｂの表裏方向の設置間隔Ｄは、訓練用具１の左側及び右側に使用者が位置して、両手で一方の側の表裏のグリップを把持して回転操作できる間隔に設定されている。
【００３０】
前記構成により、訓練用具１は両側面からも回転体６ａ，６ｂ又は回転体７ａ，７ｂを両腕で操作することができる。更に、本実施例の回転体は、大さい回転体６ａ，６ｂの直径が６００ｍｍで回転軸８ａからグリップ１１ａ，１１ｂまでの距離（半径）は２５０ｍｍに設定され、小さい回転体７ａ，７ｂの直径が５００ｍｍで回転軸８ｂからグリップ１２ａ，１２ｂまでの距離（半径）は１８０ｍｍに設定されている。
【００３１】
次に使用状態について説明する。
図７に示すように、例えば高齢者等の使用者Ｍが、まず、訓練用具１の正面（表側）に立ち、左腕の手で回転体６ａのグリップ１１ａを、右腕の手で回転体７ａのグリップ１２ａをつかみ、時計回りもしくは反時計回りに回転体６ａ，７ａを回転させる。回転体６ａ，７ａには負荷付与手段９によって負荷がかかっており、使用者はこの負荷に抗するように力を加えて回転させる。また、回転体６ａ，７ａはそれぞれ回転軸８ａ，８ｂからグリップ１１ａ，１２ａまでの距離が異なることから、回転に必要な力の差があり、左腕は小さな力で大きな円を描き、右腕は左腕に比べて大きな力で小さな円を描きながら回転させることができる。また、負荷付与手段９は回転運動への適度な負荷を与えることと、軽すぎて廻り過ぎによる不具合を回避するようになっている。
【００３２】
次に、使用者Ｍが前記のように、表側で所望の回転量を回転した後に、その使用者Ｍが訓練用具１の裏面側に移動する。この裏側に移動すると、両回転体６ｂ，７ｂは、使用者Ｍに対して図３の状態になる。そして左腕の手で回転体７ｂのグリップ１２ｂを、右腕の手で回転体６ｂのグリップ１１ｂをつかみ回転させる。このとき、裏面側の回転体６ｂ，７ｂは表面側の回転体６ａ，７ａに対して、径が異なる回転体６ｂ，７ｂの配置が左右反対になっていることから、使用者Ｍは訓練用具１の表裏両面で回転体を回すことによって、可動範囲の異なる回転運動を左右の腕に均等に与えることができる。
【００３３】
また、使用者Ｍが、訓練用具１の側面の一方（図２の右側）に移動し、図４に示す訓練用具１の側面と対向し、回転体７ａ，７ｂのグリップ１２ａ，１２ｂを握り、回転体７ａ，７ｂを両腕の間に位置するようにしてグリップ１２ａ，１２ｂを回転させる。このとき、回転体７ａ，７ｂは径が小さいことから、小さい縦方向の円を描きながら、両腕に大きな負荷を与えるとともに、両肩関節、両肘関節の屈曲伸展運動を行うことができる。
【００３４】
次に、所望の回転量を回転した後、訓練用具１の反対の側面（図２の左側）に移動し、回転体６ａ，６ｂのグリップ１１ａ，１１ｂを握り、回転体６ａ，６ｂを同様にして前後方向に回転させる。このとき、回転体６ａ，６ｂは径が大きいことから、大きい縦方向の円を描きながら、回転体７ａ，７ｂに比べて小さい負荷を両腕に与えるとともに、両肩関節、両肘関節の屈曲伸展運動を行うことができる。
【００３５】
なお、前記の回転運動は、訓練用具１の表面側、或いは裏面側において、回転体６ａ，７ａ，６ｂ，７ｂを時計回り（右回り）、反時計回り（左回り）に動かしたり、回転体６ａ，７ａ，６ｂ，７ｂを左右とも同じ方向に回したり、右側は右回り、左側は左回りなど左右違った方向に回したり、グリップ１１ａ，１２ａ，１１ｂ，１２ｂの位置を左右対称もしくは同じ位置にするなどして回したり、様々な運動が行える。また、訓練用具１の側面から回す矢状面での回転運動においても、左右の回転体６ａ，６ｂ，７ａ，７ｂを同時に上方向に回したり、下方向に回したり、左右を別々に違う方向に回したり、グリップ１１ａ，１１ｂ，１２ａ，１２ｂの位置を左右とも同じの位置で回すか、違う位置で回すなどして、様々な運動が行える。
【００３６】
以上のことから、使用者Ｍは前記回転運動により、肩関節、肘関節の可動域の改善と筋力の増強が行え、上肢の筋力強化や関節可動域を広げることでバランス能力の向上になり、転倒防止につながる。また、運動として、肩関節の屈曲、伸展、内転、外転、内旋、外旋が行え、肘関節の屈曲、伸展、前腕の回内、回外等、上肢の訓練が行える。
【実施例２】
【００３７】
本実施例２は図８（ａ）及び（ｂ）の模式図で示すように、前記回転軸からグリップまでの径が異なる２種の回転体を、左右方向に３個配置するとともに、その中央の回転体に対して両側に位置する２個の回転体を同種のものにしたものである。
【００３８】
例えば、図８（ａ）に示すように、前記実施例１の回転体７ａの右側に、前記の回転体６ａと同様の回転体１３ａを配置する。この回転体１３ａの支持構造は前記と同様である。
【００３９】
使用に際しては、先ず、例えば左側の回転体６ａのグリップ１１ａを左手で把持し、中央の回転体７ａのグリップ１２ａを右手で把持して前記と同様に両回転体６ａ，７ａを回転する。
【００４０】
次に、使用者が立ち位置を右に移動し、中央の回転体７ａのグリップ１２ａを左手で把持し、右側の回転体１３ａのグリップ１４ａを右手で把持して、両回転体７ａ，１３ａを回転する。
【００４１】
このような回転運動により、両腕の夫々が大径の回転体と小径の回転体を回転することになり、前記実施例１において、表裏の回転体を回転する運動と同様の運動が、訓練用具１片面のみで行える。
【００４２】
また、本実施例２によれば、回転体６ａ，７ａ，１３ａの取付は，前記のような支柱３に備えた取付台４に限らず、室内の壁や室外の壁に回転体を設けて前記と同様の効果を発揮することができ、室内での利用が容易となる。
【００４３】
なお、回転体の配置は、図８（ｂ）に示すように、中央に前記大径の回転体６ａを配置し、その両側に小径の回転体７ａ，１５ａを配置してもよい。この配置によっても前記と同様の作用、効果が得られる。
【００４４】
更に、該実施例２においては、３個の回転体を用いて配列する場合であるが、４個以上の回転体を、隣接する回転体のグリップの回転軸からの半径が異なるものを交互に配置してもよく、更に、グリップの回転軸からの半径が段階的に変化するようにして配置してもよい。
【００４５】
なお、本実施例２においても、実施例１と同様の関節、筋力、バランスの訓練が行える。
【実施例３】
【００４６】
本実施例３は、図９に示すように、前記実施例１の回転体６ａ，６ｂの回転軸８ａと回転体７ａ，７ｂの回転軸８ｂを夫々分割して、回転軸８ｃ，８ｄを前後方向に傾斜させ、訓練用具１に正面から向かって、円盤状の回転体６ａ，７ａの上方が奥側に、下方が手前側に傾斜するように構成したものである。
【００４７】
すなわち，本実施例は、前記実施例１の訓練用具１における表裏に貫通して備えられた軸８ａ，８ｂを表裏別々に配置して、基板５ａ，５ｂの表面から上方に向って所定角度傾斜するように、組付台４，４と基板５ａ，５ｂに挿入して固定し、その端部に実施例１と同様に負荷付与手段９を設ける。また、裏面の回転体６ｂ，７ｂも同様に傾斜させて構成する。なお、その他の構成は実施例１と同様である。
【００４８】
前記の構成により、実施例３の回転体６ａ，６ｂ，７ａ，７ｂは、実施例１の回転体６ａ，６ｂ，７ａ，７ｂの回転運動に対して、グリップ１１ａ，１１ｂ及び１２ａ，１２ｂが回転する回転軌道が、垂直面に対して前後方向に所定の角度傾斜した三次元的な動きとなる。
【００４９】
したがって、使用者が訓練用具１の正面から向かい、回転体のグリップの回転運動を行うときには、実施例１のような回転運動に加え、腕の前後方向への曲げ伸ばし運動も行えるようになっている。
【００５０】
また、使用者が訓練用具１の側面に立って、表裏のグリップを両腕で回転し、縦方向の回転運動を行うときには、実施例１のような前後方向の回転運動に加え、両腕における内外方向への運動も行えるようになる。
【００５１】
なお、本実施例３においても、実施例１と同様の関節、筋力、バランスの訓練が行える。
【００５２】
なお、前記各実施例において、回転軌道の垂直面に対する傾斜角度は用途に合せて設定すればよく、表裏の回転体６ａ，６ｂ，７ａ，７ｂ，１３ａ，１５ａの角度を異なる角度に設定してもよい。また、使用時の回転体の回転方向は、実施例１と同様に種々に行えばよい。
【００５３】
また、前記各実施例では回転体を円盤状に形成したが、棒状のアームを使用し、そのアームの基端に回転軸を設け、先端部にグリップを装着する構成にしてもよい。
【図面の簡単な説明】
【００５４】
【図１】本発明の実施例１を示す斜視図。
【図２】図１の正面図。
【図３】図１の背面図。
【図４】図１の側面図。
【図５】図１の上面図。
【図６】図２におけるＡ−Ａ線断面図。
【図７】図１に示す実施例１の使用状態を示す斜視図。
【図８】（ａ）（ｂ）は実施例２における回転体のみの配列状態を示す２例の模式図。
【図９】実施例３の回転体の配置状態を示す側面図。
【符号の説明】
【００５５】
１    訓練用具
３    支柱
６ａ，６ｂ，７ａ，７ｂ，１３ａ，１５ａ  回転体
９    負荷付与手段
１１ａ，１１ｂ，１２ａ，１２ｂ，１４ａ，１６ａ  グリップ
【図１】
2007143761.tif 000003
【図２】
2007143761.tif 000004
【図３】
2007143761.tif 000005
【図４】
2007143761.tif 000006
【図５】
2007143761.tif 000007
【図６】
2007143761.tif 000008
【図７】
2007143761.tif 000009
【図８】
2007143761.tif 000010
【図９】
2007143761.tif 000011